(57)【要約】【課題】大判の印刷を複数枚行う場合、ホストコンピュータでのスプール時間、ホストコンピュータとプリンタとの間における通信時間を短縮することができるプリンタを提供することを目的とする。【解決手段】複数部のデータの印刷命令を受信すると、上記複数部のデータを記憶する大容量記憶装置と、制御手段を有する。上記制御手段は、上記大容量記憶装置に記憶した後に、上記複数部のデータのうちの１部を印字し、印刷しないことを、操作者が指示すると、上記大容量記憶装置に記憶されている残りのデータを消去する。また、上記制御手段は、印刷を操作者が指示すると、上記大容量記憶装置に記憶されている残りのデータを印刷する。【選択図】図２
2009061636.tif 000002
【特許請求の範囲】
【請求項１】
複数部のデータの印刷命令を受信すると、上記複数部のデータを記憶する大容量記憶装置と；
上記複数部のデータを上記大容量記憶装置に記憶した後に、上記複数部のデータのうちの１部を印字し、印刷しないことを、操作者が指示すると、上記大容量記憶装置に記憶されている残りのデータを消去し、また、印刷を操作者が指示すると、上記大容量記憶装置に記憶されている残りのデータを印刷する制御手段と；
を有することを特徴とするプリンタ。
【請求項２】
請求項１において、
操作者が指定した時刻に、上記残りのデータを印刷することを特徴とするプリンタ。
【請求項３】
請求項２において、
上記残りのデータを、電力料金が安い時間帯に印刷することを特徴とするプリンタ。
【請求項４】
請求項１において、
上記大容量記憶装置は、ハードディスクであることを特徴とするプリンタ。
【発明の詳細な説明】
【技術分野】
【０００１】
本発明は、大容量記憶装置を有するプリンタに関する。
【背景技術】
【０００２】
従来のプリンタとして、操作者が指定した時間に印刷する装置が知られている（たとえば特許文献１参照）。
【０００３】
また、電力制御する場合、電力使用料金が安価な時間帯に蓄電するプリンタが知られている（たとえば特許文献２参照）。
【０００４】
特許文献１記載の発明では、複写機において、予め原稿を読み取り、出力時刻をセットすることによって、所望の時間に出力開始または完了させることができる。この従来例では、出力装置が使用中であり、直ぐにはプリント出来ない場合、または特定の時間に出力が欲しい場合に効果がある。
【０００５】
また、特許文献２記載の発明では、電力会社が設定する複数の料金形態のうちで、電力使用料金が安価な時間帯に、電気二重層コンデンサＣｃに蓄電動作を行う。日中は、この電気二重層コンデンサＣｃに蓄えられている電力を使用することによって、使用料金が高価な電力の使用量を抑制しながらも、この時間帯におけるユーザの緊急な画像形成処理要求に応えることができる。
【特許文献１】特開平６−２６８７８１号公報
【特許文献２】特開２００５−２６６１２２号公報
【発明の開示】
【発明が解決しようとする課題】
【０００６】
近年、印刷サイズがＡ１を越える大判プリンタが多く製品化されている。これらのプリンタの対象とする印刷物は、写真、イラスト、ポスター等大きく印刷したときの色合い、配置のバランス等が重要である。このために、色合い、配置等をチェックする試しの印刷を行うことが多い。また、これらの印刷のデータは、数１００Ｍバイトから数Ｇバイトになることもある大きいデータである。このため試し印刷、本番の印刷を別々に行うと、ホストコンピュータでプリントのデータを作成するスプールにかかる時間や、ホストコンピュータからプリンタへのデータ転送に、かなりの時間がかかるという問題がある。
【０００７】
また、通信にＬＡＮを使っている場合、通信時間だけでなく、ＬＡＮを占有するので、他の通信にも影響を与えるという問題がある。
【０００８】
また、印刷において、たとえばＡ０の印刷では、数分から数１０分かかるので、複数枚印刷するためには、時間単位の印刷時間がかかり、この間、他の印刷はできないという問題がある。
【０００９】
また、ランニングコストを下げるため消費電力代の削減も重要な課題である。
【００１０】
本発明は、ホストコンピュータでのスプール時間、ホストコンピュータとプリンタとの間における通信時間を短縮することができるプリンタを提供することを目的とする。
【００１１】
また、本発明は、修正の必要のない大量の印刷をプリンタの空いている時間に実行すれば、プリンタの運用効率が上がりコスト削減を行うことができるプリンタを提供することを目的とする。
【００１２】
さらに、本発明は、夜間電力等の電力料金の安い時間帯に印刷すれば、更なるコスト削減を行うことができるプリンタを提供することを目的とする。
【課題を解決するための手段】
【００１３】
本発明は、複数部のデータの印刷命令を受信すると、上記複数部のデータを記憶する大容量記憶装置と、制御手段を有する。上記制御手段は、上記大容量記憶装置に記憶した後に、上記複数部のデータのうちの１部を印字し、印刷しないことを、操作者が指示すると、上記大容量記憶装置に記憶されている残りのデータを消去する。また、上記制御手段は、印刷を操作者が指示すると、上記大容量記憶装置に記憶されている残りのデータを印刷する。
【発明の効果】
【００１４】
本発明によれば、ホストコンピュータでのスプール時間、ホストコンピュータとプリンタとの間における通信時間を短縮することができるという効果を奏する。
【００１５】
また、本発明によれば、修正の必要のない大量の印刷をプリンタの空いている時間に実行すれば、プリンタの運用効率が上がりコスト削減を行うことができるという効果を奏する。
【００１６】
また、本発明によれば、夜間電力等の電力料金の安い時間帯に印刷すれば、更なるコスト削減を行うことができるという効果を奏する。
【発明を実施するための最良の形態】
【００１７】
発明を実施するための最良の形態は、次の実施例である。
【実施例１】
【００１８】
図１は、本発明の実施例１であるプリンタ１０と、ホストコンピュータ２０とを示すブロック図である。
【００１９】
プリンタ１０は、大判プリンタであり、コントローラ１と、ハードディスク２と、プラテン４と、キャリッジ５とを有する。
【００２０】
ハードディスク２は、複数部のデータの印刷命令を受信すると、上記複数部のデータを記憶する大容量記憶装置の例である。
【００２１】
コントローラ１は、上記大容量記憶装置に記憶した後に、上記複数部のデータのうちの１部を印字し、印刷しないことを、操作者が指示すると、上記大容量記憶装置に記憶されている残りのデータを消去する。また、コントローラ１は、操作者が印刷を指示すると、上記大容量記憶装置に記憶されている残りのデータを印刷する手段である。
【００２２】
また、コントローラ１は、操作者が指定した時刻に、上記残りのデータを印刷するように制御する。さらに、コントローラ１は、上記残りのデータを、電力料金が安い時間帯に印刷するように制御する。
【００２３】
次に、実施例１において、１枚を印字する通常の動作について説明する。
【００２４】
まず、ホストコンピュータ２０から、１枚分のデータが送られてくる。コントローラ１は、初めに、ロール状に巻かれた印刷用紙３を、プラテン４まで搬送する。
【００２５】
次に、キャリッジ５を、矢印方向に移動させながら、受信したデータに合わせて、キャリッジ５内に配置されているインク吐出ヘッドから、インクを吐出し、１ライン分の画像を印刷する。
【００２６】
次に、用紙を１ライン分搬送し、上記動作を繰り返すことによって、目的の印刷画像を印刷する。
【００２７】
次に、実施例１の特有の動作について説明する。
【００２８】
図２は、本発明の実施例１の制御動作を示すフローチャートである。
【００２９】
Ｓ１で、ホストコンピュータ２０からのデータ転送によって、印刷が開始されると、Ｓ２で、ハードディスク２に印刷データを記憶しながら、Ｓ３で、１枚、印刷する。
【００３０】
次に、Ｓ４で、操作者が指示することによって、印刷の可否を判定する。なお、操作者による指示は、ホストコンピュータ２０に設けられているＧＵＩを介して、実行される。このときに、操作者は、印刷物の色合い配置、印字内容等を確認し、目的の印刷に仕上がっているかどうかを調べ、印刷の可否を指示する。
【００３１】
印刷しないことを、操作者が指示すると、Ｓ５で、ハードディスク２上のデータを消去し、終了する。
【００３２】
印刷を操作者が指示すると、Ｓ６で、予め設定された時刻まで待ち、Ｓ７で、ハードディスク２から残りのデータを読み出し、残りのｎ−１枚の印刷を行い、終了する。
【００３３】
上記、Ｓ６で判断する印字時刻を、夜間等、プリンタが通常使われていないときに指定すると、プリンタ１０の使用効率が上がり、プリントコストを下げることができる。
【００３４】
また、夜間電力帯のように、電力の安い時間帯に、印刷開始を設定すると、プリント自体のコストを下げ、プリントコストをより下げることができる。
【００３５】
つまり、上記実施例１は、ハードディスク２等の大容量記憶装置に接続されているプリンタ１０で、ホストコンピュータ２０から複数枚の印刷を指示されると、データをハードディスク２に記憶し、まず、ためし印字として、１枚印字する。次に、ユーザが印字の可否を判断し、この判断結果が否であれば、ハードディスク２中のデータを消去し、印刷を終了する。一方、上記判断結果が可であれば、残りの印刷を、プリンタ１０が空いている時間帯、夜間等の電力の安い時間帯に実行する。
【００３６】
また、実施例１では、理解しやすいように、最初に１枚を印刷するが、最初に、複数枚で１部を構成する印刷物を印刷するようにしてもよく、上記と同様に実行することができる。この場合、Ｓ３における１枚印刷を、１部印刷とし、Ｓ７におけるｎ−１枚印刷を、ｎ−１部印刷に読み替えれば、上記と同等の効果を奏することができる。
【図面の簡単な説明】
【００３７】
【図１】本発明の実施例１であるプリンタ１０と、ホストコンピュータ２０とを示すブロック図である。
【図２】本発明の実施例１の制御動作を示すフローチャートである。
【符号の説明】
【００３８】
１０…プリンタ、
１…コントローラ、
２…ハードディスク、
４…プラテン、
５…キャリッジ、
２０…ホストコンピュータ。
【図１】
2009061636.tif 000003
【図２】
2009061636.tif 000004